(57)【要約】【課題】環境保護の観点から、電気機器の待機電力を削減できる待機電力低減回路を提供する。【解決手段】待機状態において、リモートコントローラ１３の電池１４をリモートコントローラ接続用電源端子１５ａ、１５ｂにより本体機器のダイオード９のカソードと定電圧電源ＩＣ１０との間に接続し、電池１４の端子電圧が規定より高いときはダイオード９を逆バイアスすることによりバックアップ電源トランス６の二次電流を削減し、銅損がなくなり鉄損と電池１４から供給される電流のみとなり、待機状態の機器消費電力を低減することができる。【選択図】図１
2005192362.tif 000002
【特許請求の範囲】
【請求項１】
機器本体と、前記機器本体を外部から制御するリモートコントローラとを備え、
前記リモートコントローラを前記機器本体に接続して、前記機器本体の待機状態において、前記リモートコントローラの電源より前記機器本体のマイクロコンピュータおよびリモートコントロール受光器回路に電源が供給され、前記リモートコントローラの電源電圧が不足している場合は、前記機器本体の電源よりマイクロコンピュータおよびリモートコントロール受光器回路に電源が供給されることを特徴とする待機電力低減回路。
【請求項２】
前記リモートコントローラの電源に充電電池を用い、前記リモートコントローラを機器本体に接続した場合、機器動作時に前記充電電池に充電できることを特徴とする請求項１記載の待機電力低減回路。
【請求項３】
前記リモートコントローラを機器本体に接続した場合、前記機器本体の待機状態において前記リモートコントローラより供給される電源電圧を判定して、規定電圧以上の場合、機器本体の電源回路を一次電源より切断することを特徴とする請求項１または２記載の待機電力低減回路。
【発明の詳細な説明】
【技術分野】
【０００１】
本発明は、例えば、オーディオ機器のような電子機器の待機状態における消費電力を削減する待機電力低減回路に関するものである。
【背景技術】
【０００２】
従来、オーディオ機器のような電子機器においては、電源オフ状態にあってもリモートコントローラ（以下リモコン）による動作、あるいはタイマー設定による放送受信や録音、もしくは再生の動作をするため、機器のマイクロコンピュータ（以下マイコン）、リモートコントロール受光器（以下リモコン受光器）に電力を供給している。この状態を以下待機時または待機状態と称する。
【０００３】
通常一体型オーディオミニコンポと称される機器は、待機状態での消費電力は機器電源トランスとは別にマイコン用バックアップトランス使用している。（例えば、特許文献１参照）通常、待機電力としては約０．３Ｗ〜１Ｗ程度である。
【０００４】
また、コンデンサへの間欠充電とマイコンの低消費電力動作モードを組み合わせたものもある（例えば、特許文献２および非特許文献１参照）。
【０００５】
図５は従来の待機電力低減回路を示すものである。図５において、１００ＶのＡＣ電源は一次ヒューズ１、マイコンで制御されるメイン電源回路リレースイッチ２を介してメイン電源トランス３の一次コイルに印加される。メイン電源トランス３の二次コイルの出力はメイン電源整流器４で整流され、メイン電源平滑コンデンサ５で平滑化されてメイン回路の電源として用いられる。
【０００６】
一方１００ＶのＡＣ電源は一次ヒューズ１を通った後、バックアップ電源トランス６の一次コイルに印加され、バックアップ電源整流器７で整流され、バックアップ電源平滑コンデンサ８で平滑化され、整流電流を通過させる極性に接続されたダイオード９を通って定電圧電源ＩＣ１０で定電圧化されてバックアップ電源供給回路２４からマイコン１１、リモコン受光器１２に与えられる。
【０００７】
電源オン状態においては、マイコン１１の指令により、リレーの接点２がオンとなることにより、メイン電源回路に電源が供給される。メイン電源オフ状態、すなわち待機状態においてはマイコン１１およびリモコン受光器１２の消費電流は、数ｍＡ必要であり、電源電圧３．３Ｖと仮定してもバックアップ電源トランス６と回路の損失を含めてＡＣ一次側よりの供給電力は、約０．３Ｗ程度となっている。
【特許文献１】特開平１１−２８５１５０号公報
【特許文献２】特開平９−１９１５６９号公報
【非特許文献１】日経エレクトロニクス  １９９７年７月２８日号（no.695）、P.２１−２２
【発明の開示】
【発明が解決しようとする課題】
【０００８】
このようなオーディオ機器においては、さらなる待機時消費電力の削減が要求される。なぜなら電源オフとした状態において、目標は限りなく「０Ｗ」に近づけることである。この状態ではリモコン待ち受けと、タイマー動作の為に、電力を使用しており、現在この数値は、低いもので０．３Ｗ程度である。勿論、動作状態での消費電力削減に取り組むことは必要であり、本明細書では触れていないが、ディジタル電源やディジタルアンプ等の採用により、電気の使用効率向上に取り組んでいる。
【０００９】
本発明は、リモコンの電源である電池あるいは充電電池を本体機器と組み合わせることにより、待機状態の消費電力を大きく削減する待機電力低減回路を提供することを目的としてなされたものである。
【課題を解決するための手段】
【００１０】
この課題を解決するために本発明の待機電力低減回路は、機器本体と、前記機器本体を外部から制御するリモートコントローラとを備え、前記リモートコントローラを前記機器本体に接続して、前記機器本体の待機状態において、前記リモートコントローラの電源より前記機器本体のマイクロコンピュータおよびリモートコントロール受光器回路に電源が供給され、前記リモートコントローラの電源電圧が不足している場合は、前記機器本体の電源よりマイクロコンピュータおよびリモートコントロール受光器回路に電源が供給されることを特徴とするものである。
【００１１】
また、前記リモートコントローラの電源に充電電池を用い、前記リモートコントローラを機器本体に接続した場合、機器動作時に前記充電電池に充電することもできる。
【００１２】
さらに、前記リモートコントローラを機器本体に接続した場合、前記機器本体の待機状態において前記リモートコントローラより供給される電源電圧を判定して、規定電圧以上の場合、機器本体の電源回路を一次電源より切断することもできる。
【発明の効果】
【００１３】
本発明は上記の構成によって、待機状態において本体回路で消費する回路にリモートコントローラの電源を接続することにより、さらに待機電力を低減することができ、またリモートコントローラ電源の電池を充電出来るように構成するとか、さらに、リモコン電池の電圧が高い場合には商用電源の待機電力を全く停止できるなど、待機時消費電力を大きく削減することができ、省エネルギー取り組みに対し幅広い選択手段を与えることができる。
【発明を実施するための最良の形態】
【００１４】
以下本発明の一実施形態について、図面を用いて説明する。
【００１５】
（実施の形態１）
図１は本発明の実施の形態１における待機電力低減回路、図２は同じく本体とリモートコントローラとの接続状態を示す外観斜視図を示し、図１において、たとえば１００ＶのＡＣ電源は一次ヒューズ１、マイコンで制御されるメイン電源回路リレースイッチ２を介してメイン電源トランス３の一次コイルに印加される。メイン電源トランス３の二次コイルの出力はメイン電源整流器４で整流され、メイン電源平滑コンデンサ５で平滑化されてメイン回路の電源として用いられる。
【００１６】
一方ＡＣ電源は一次ヒューズ１を通った後、バックアップ電源トランス６の一次コイルにも印加され、バックアップ電源整流器７で整流され、バックアップ電源平滑コンデンサ８で平滑化され、この整流電流を通過させる極性に接続されたダイオード９を通って定電圧電源ＩＣ１０で定電圧化されてマイコン１１、リモコン受光器１２に与えられる。
【００１７】
またリモコン１３にはリモコン１３内部の回路を動作させる電池１４が内蔵され、電池１４は端子１５ａ、１５ｂに接続されており、この端子１５ａ、１５ｂによって本体機器と接続できるようになっている。リモコン１３内部の回路構成については、図示と説明を省略する。そしてダイオード１６が、そのアノードを電池１４の＋極側に、またそのカソードがダイオード９のカソードと定電圧電源ＩＣ１０の間に接続されるように配置されている。
【００１８】
図２において、機器本体２１の凹所２２の奥底面にリモコン保持用永久磁石２３が設けられ、その両端にはリモートコントローラ接続用電源端子１５ａ、１５ｂが配置されていて、リモコン１３を凹部２２に挿入すると、保持用永久磁石２３がリモコン１３の対応部分の強磁性体部分（図示せず）を吸着、固定することで、リモコン１３を保持し電池１４が図１のように本体電源回路に接続される。
【００１９】
以上のように構成された待機電力低減回路について、以下その動作を説明する。まず待機状態においては、メイン電源回路リレースイッチ２はオフであり、マイコン１１およびリモコン受光器１２の電源は、バックアップ電源トランス６、バックアップ電源整流器７、バックアップ電源平滑コンデンサ８、ダイオード９、定電圧電源ＩＣ１０を介して供給される。
【００２０】
この場合、マイコン１１は、タイマー動作させるための時計カウントを行い、またリモコン受光によって動作開始できるようにするため、常に監視動作を行っている。このため、マイコン１１とリモコン受光部１２には僅かではあるが、常に電流を供給している。その総和は数ｍＡである。仮にこの回路の必要電圧３．３Ｖ，供給電流５ｍＡとした場合は、１６．５ｍＷの消費電流である。ところでバックアップ電源回路は、ＡＣ１００Ｖから、バックアップ電源トランス６で電圧を降圧し、整流回路７を経由し供給されるが、バックアップ電源トランス６の損失、すなわち鉄損と銅損が大きな値を占める。設計にもよるが、鉄損０．５Ｗ、銅損０．５Ｗ程度は消費し、また、３．３Ｖの電源を得るためには、電源変動も考慮した場合、その定格値３．３Ｖより５０％以上高い電源電圧から定電圧整流回路１０に供給することが必要である。このため、回路部分でも損失は発生し、ＡＣ一次側から見た場合、約０．３Ｗ程度の電力消費になる。
【００２１】
ここで、待機状態において、リモートコントローラ１３を、本体にリモートコントローラ接続用電源端子１５ａ、１５ｂで図１のように接続し、リモコン１３の電池１４より、定電圧電源ＩＣ１０を通し、マイコン１１、リモコン受光器１２に電源供給する構成にすれば、待機時消費電力を大きく削減できる。
【００２２】
バックアップ電源平滑コンデンサー８の端子における電圧よりリモートコントローラ１３の電池１４の電圧が高い値であれば、ダイオード９には逆バイアス電圧が印加されて、バックアップ電源トランス６、バックアップ電源整流器７から、ダイオード９を経由して定電圧電源ＩＣ１０に電流は流れず、バックアップ電源トランス６の鉄損と電池１４から供給される電流のみとなり、ＡＣ一次側から見た場合０．１Ｗ以下の待機電力となる。
【００２３】
リモコン１３の電池の電圧が降下した場合は、ダイオード９には逆バイアス電圧は印加されなくなり、従来同様トランス６の二次整流電圧はダイオード９を経由して、定電圧電源ＩＣ１０に供給され、機器動作には何ら支障はない。
【００２４】
以上のように本実施形態によれば、リモコン１３の電池１４を機器本体に接続することによって待機電力を大きく削減できることとなる。
【００２５】
（実施の形態２）
次に、図３は本発明の実施の形態２の待機電力低減回路のブロック図を示し、図３において、リモートコントローラ１３ａには充電電池１４ａを用い、ダイオード１６には並列に充電用抵抗器１７を接続し、メイン回路電源のメイン電源平滑コンデンサ５の＋側から補助電源用抵抗器１８、補助電源用ダイオード１９の直列回路をダイオード９のカソードと定電圧電源ＩＣ１０との間に接続している。その他の部分は実施の形態１の図１と同様であり、同じ符号を付けて説明を省く。
【００２６】
つぎにその動作を説明する。電源オンの状態においては、メイン電源平滑コンデンサー５の端子電圧が補助電源用抵抗器１８、補助電源用ダイオード１９、充電用抵抗器１７を経由してリモートコントローラ１３の充電電池１４ａを充電する構成となっている。なお、補助電源用抵抗器１８、補助電源用ダイオード１９は、電源オン時に充電電池１４ａへの充電のほかにマイコン１１、リモコン受光器１２用にメイン電源から補助電源として供給する。補助電源は、実施例１に用いても何ら問題なくバックアップトランス６の電源オン時の消費電力削減が可能となる。
【００２７】
待機状態においては、実施の形態１と同様にメイン電源回路リレースイッチ２が開かれて、充電電池１４ａの電圧が高いときにはバックアップ電源トランス６の二次電流を流れなくし、バックアップ電源トランス６の鉄損と電池１４ａから供給される電流のみとなり、ＡＣ一次側から見た場合０．１Ｗ以下の待機電力となる。
【００２８】
（実施の形態３）
図４は本発明の実施の形態３の待機電力低減回路のブロック図を示し、図４において、制御端子２０ａを持つバックアップ一次電源回路用電子スイッチ２０をバックアップ電源トランス６の一次側に挿入し、制御端子２０ａをダイオード９のカソード側に接続した構成で、その他の部分は実施の形態２の図３と同様であって、同じ符号を付けて説明を省く。
【００２９】
待機状態において、リモートコントローラ１３の電池１４の電圧が規定以上の場合、バックアップ一次電源回路用電子スイッチ２０により、バックアップトランス６の一次側を遮断する。これによりバックアップトランス６の鉄損を無くすることができる。このためにバックアップ一次電源回路用電子スイッチ２０は、リモコン１３が接続されないときはダイオード９の出力電圧では動作せず、ダイオード９の出力電圧より高い電池１４の電圧では動作するように設定しておく。
【００３０】
なお、別の方法として、図示しないが、電池１４の端子電圧をマイコン１１で判定して、マイコン１１の指令によってバックアップ一次電源回路用電子スイッチ２０をオン、オフしてもよい。
【００３１】
また電池１４は一次電池でもよく、二次電池でもよい。
【産業上の利用可能性】
【００３２】
以上のように本発明の待機電力低減回路によれば、リモートコントローラの電池を待機電源回路に組み合わせることにより、待機電力を大きく削減するという有利な効果が得られる産業上の利用可能性が高い発明である。
【図面の簡単な説明】
【００３３】
【図１】本発明の実施の形態１における待機電力低減回路のブロック図
【図２】同じく本体とリモートコントローラとの接続状態を示す外観斜視図
【図３】同じく実施の形態２における待機電力低減回路のブロック図
【図４】同じく実施の形態３における待機電力低減回路のブロック図
【図５】従来の待機電力低減回路のブロック図
【符号の説明】
【００３４】
１    電源一次ヒューズ
２    メイン電源回路リレースイッチ
３    メイン電源トランス
４    メイン電源整流器
５    メイン電源平滑コンデンサー
６    バックアップ電源トランス
７    バックアップ電源整流器
８    バックアップ電源平滑コンデンサー
９    ダイオード
１０    定電圧電源ＩＣ
１１    マイクロコンピュータ（マイコン）
１２    リモートコントロール受光器（リモコン受光器）
１３    リモートコントローラ（リモコン）
１４    電池
１４ａ    充電電池
１５ａ、１５ｂ    リモートコントローラ接続用電源端子
１６    ダイオード
１７    充電用抵抗器
１８    補助電源用抵抗器
１９    補助電源用ダイオード
２０    バックアップ一次電源回路用電子スイッチ
２１    機器本体
２２    凹所
２３    リモートコントローラ保持用永久磁石
【図１】
2005192362.tif 000003
【図２】
2005192362.tif 000004
【図３】
2005192362.tif 000005
【図４】
2005192362.tif 000006
【図５】
2005192362.tif 000007